(57)【特許請求の範囲】
【請求項１】
記録媒体がスロットイン方式によって装着されるオーディオ装置において、
オーディオ装置の本体ケーシングに、この本体ケーシングの外方に開放されているとともに記録媒体の挿入口から記録媒体をデータの読み取りのために支持する支持位置まで延びる溝部が形成されていて、記録媒体が、本体ケーシングから露出された状態で、溝部に沿って挿入口と支持位置との間を溝部の両側に設けられた記録媒体搬送部材によって支持されながら搬送される、
ことを特徴とするオーディオ装置。
【請求項２】
前記本体ケーシングが略Ｕ字形状を有し、この略Ｕ字形状の本体ケーシングの両側の腕部の間の空間が前記溝部を構成する請求項１に記載のオーディオ装置。
【請求項３】
前記溝部の最奥部に、溝部に沿って挿入されたディスク状の記録媒体の中心部をクランプするとともにこの記録媒体を回転させるディスク駆動部材が配置されている請求項１に記載のオーディオ装置。
【請求項４】
前記溝部の両側の内側部に記録媒体が挿入されるガイドスリットが形成され、このガイドスリットの内側に、前記記録媒体搬送部材および記録媒体が挿入されたことを検知して記録媒体搬送部材を駆動させる記録媒体検知部材が取り付けられている請求項１に記載のオーディオ装置。
【請求項５】
本体ケーシングに取り付けられたメモリカード装着部とこのメモリカード装着部に装着されたメモリカードから楽曲データを読み取るメモリカード読み取り部材をさらに備えている請求項１に記載のオーディオ装置。
【請求項６】
前記メモリカード装着部が、本体ケーシングの前記溝部の内側部にカード挿入口を溝部の軸線方向に向けて取り付けられている請求項５に記載のオーディオ装置。
【請求項７】
コンピュータ・ネットワークとの接続を行って楽曲データをダウンロードする通信制御部材をさらに備えている請求項１に記載のオーディオ装置。
【請求項８】
前記通信制御部材によってコンピュータ・ネットワークからダウンロードされた楽曲データを保存するハードディスクをさらに備えている請求項７に記載のオーディオ装置。
【請求項９】
オーディオ装置の本体部の操作をリモートコントロールによって行うリモートコントローラをさらに備え、このリモートコントローラが、本体ケーシングの溝部内に嵌合されて収容される形状を備えている請求項１に記載のオーディオ装置。
【発明の詳細な説明】
【０００１】
【発明の属する技術分野】
この発明は、楽曲データが記録された記録媒体がスロットイン方式によって装着されるオーディオ装置に関する。
【０００２】
【発明が解決しようとする課題】
ＣＤ(Compact Disc)やＭＤ(Mini Disc)等の楽曲データが記録されている記録媒体から音楽の再生を行うオーディオ装置には、従来、記録媒体の装着を、トレイ方式によって行うものとスロットイン方式によって行うものとがある。
【０００３】
このトレイ方式とは、記録媒体を載せるトレイがオーディオ本体に格納位置と引出位置との間でスライド自在に取り付けられていて、オーディオ本体から引出位置に引き出されたトレイにＣＤなどの記録媒体が載せられた後、このトレイがオーディオ本体内の格納位置にスライドして、記録媒体をそのデータ読み取り位置に装着する方式をいう。
【０００４】
また、スロットイン方式とは、トレイ方式のような記録媒体装着用のトレイを用いずに、オーディオ本体に設けられた挿入口に直接挿入される記録媒体をディスクローラ等によって引き込むことによりデータ読み取り位置に装着する方式をいう。
【０００５】
このような従来のオーディオシステムにおける記録媒体の装着方式において、トレイ方式は、トレイによって記録媒体を確実に支持しながらデータ読み取り位置に装着することが出来るという長所を有しているが、記録媒体の装着時に、トレイの引き出しなどの操作に時間を要し、また、トレイおよびこのトレイをスライドさせるための駆動機構を備える必要があるために、特にポータブルのオーディオ装置には適用が難しいという問題を有している。
【０００６】
このため、特にポータブルのオーディオ装置においては、記録媒体装着用のトレイやその駆動機構を必要としないスロットイン方式が採用される場合が多い。
【０００７】
しかしながら、このスロットイン方式においては、記録媒体を支持するトレイが無いために、記録媒体の装着時の支持状態が不安定であり、このために、挿入口への記録媒体の挿入角度のずれや挿入する力などの違いによってトラブルが発生し易いという問題を有している。
【０００８】
そして、このスロットイン方式においては、記録媒体がオーディオ本体内に引き込まれてしまうと、外部からは見えないために、途中で引っ掛かったりした際にその取り出しが容易ではなく、また、その取り出しの際に記録媒体を損傷してしまう虞がある。
【０００９】
この発明は、上記のような従来のオーディオ装置における記録媒体の装着に関する問題点を解決するために為されたものである。
【００１０】
すなわち、この発明は、コンパクトな構成で記録媒体の装着および脱着時のトラブルを回避することが出来るとともに、商品価値の高いオーディオ装置を提供することを目的としている。
【００１１】
【課題を解決するための手段】
第１の発明によるオーディオ装置は、上記目的を達成するために、記録媒体がスロットイン方式によって装着されるオーディオ装置において、オーディオ装置の本体ケーシングに、この本体ケーシングの外方に開放されているとともに記録媒体の挿入口から記録媒体をデータの読み取りのために支持する支持位置まで延びる溝部が形成されていて、記録媒体が、本体ケーシングから露出された状態で、溝部に沿って挿入口と支持位置との間を溝部の両側に設けられた記録媒体搬送部材によって支持されながら搬送されることを特徴としている。
【００１２】
この第１の発明によるオーディオ装置によれば、例えばＤＶＤやＣＤ，ＭＤなどの楽曲データが記録された記録媒体を本体ケーシングに設けられた記録媒体の挿入口から挿入すると、この記録媒体は、記録媒体搬送部材によって支持されながら、溝部に沿って、この溝部の奥に設けられた支持位置まで搬送される。
【００１３】
このとき、溝部に沿って搬送される記録媒体は、溝部が本体ケーシングの外方に開放されていることによって、本体ケーシングから外方に露出されていて、ユーザは、挿入口から支持位置まで搬送されてゆく記録媒体を直接視認することが出来る。
【００１４】
また、同様に、記録媒体を本体ケーシングから脱着する際にも、溝部に沿って支持位置から挿入口の方向に搬送されて行く記録媒体が本体ケーシングから外方に露出されていて、ユーザは、その記録媒体を直接視認することが出来る。
【００１５】
以上のように、上記第１の発明によれば、スロットイン方式によって記録媒体の装着を行うオーディオ装置において、ユーザは、装着または脱着される記録媒体を本体ケーシングに設けられた溝部を介して視認することが出来るので、記録媒体がその装着または脱着時に本体ケーシングの途中に引っ掛かるなどしてトラブルが発生した場合でも、容易にそのトラブルを解消することが出来るようになり、これによって、スロットイン方式の採用によるトラブル発生の問題を解消して、コンパクトで商品価値の高いオーディオ装置を提供することが出来るようになる。
【００１６】
第２の発明によるオーディオ装置は、前記目的を達成するために、第１の発明の構成に加えて、前記本体ケーシングが略Ｕ字形状を有し、この略Ｕ字形状の本体ケーシングの両側の腕部の間の空間が前記溝部を構成することを特徴としている。
【００１７】
この第２の発明によるオーディオ装置によれば、本体ケーシングが略Ｕ字形に形成されることによって、この本体ケーシングのＵ字形を構成する一対の腕部の間の空間が、装着または脱着のために搬送される記録媒体を本体ケーシングの外部に露出させる溝部を構成し、これによって、シンプルでかつ斬新な外観のオーディオ装置を提供することが出来るようになる。
【００１８】
第３の発明によるオーディオ装置は、前記目的を達成するために、第１の発明の構成に加えて、前記溝部の最奥部に、溝部に沿って挿入されたディスク状の記録媒体の中心部をクランプするとともにこの記録媒体を回転させるディスク駆動部材が配置されていることを特徴としている。
【００１９】
この第３の発明によるオーディオ装置によれば、溝部に沿って挿入されたＤＶＤやＣＤなどのディスク状の記録媒体が、溝部に沿って搬送された後、この溝部の最奥部に配置されたディスク駆動部材によってクランプされて支持されるとともに、このディスク駆動部材によって回転駆動されて、記録媒体に記録されている楽曲データの読み取りが行われる。
【００２０】
第４の発明によるオーディオ装置は、前記目的を達成するために、第１の発明の構成に加えて、前記溝部の両側の内側部に記録媒体が挿入されるガイドスリットが形成され、このガイドスリットの内側に、前記記録媒体搬送部材および記録媒体が挿入されたことを検知して記録媒体搬送部材を駆動させる記録媒体検知部材が取り付けられていることを特徴としている。
【００２１】
この第４の発明によるオーディオ装置によれば、このオーディオ装置に装着される記録媒体の側部が溝部の両側の内側部に形成されたガイドスリット内にそれぞれ挿入されて記録媒体搬送部材によって支持されるとともに、このガイドスリット内に記録媒体が挿入されたことが記録媒体検知部材によって検知されて、記録媒体搬送部材が駆動されることにより、記録媒体がガイドスリットによってガイドされながらその支持位置まで搬送される。
【００２２】
第５の発明によるオーディオ装置は、前記目的を達成するために、第１の発明の構成に加えて、本体ケーシングに取り付けられたメモリカード装着部とこのメモリカード装着部に装着されたメモリカードから楽曲データを読み取るメモリカード読み取り部材をさらに備えていることを特徴としている。
【００２３】
この第５の発明によるオーディオ装置によれば、本体ケーシングに、ディスク状の記録媒体の他に、メモリスティックやコンパクトフラッシュ（登録商標）などのメモリカードの装着部がさらに設けられており、このメモリカード装着部に装着されるメモリカードに記録されている楽曲データに基づいても、音響再生を行うことが出来る。
【００２４】
第６の発明によるオーディオ装置は、前記目的を達成するために、第５の発明の構成に加えて、前記メモリカード装着部が、本体ケーシングの前記溝部の内側部にカード挿入口を溝部の軸線方向に向けて取り付けられていることを特徴としている。
【００２５】
この第６の発明によるオーディオ装置によれば、メモリカード装着部が、そのカード挿入口が本体ケーシングの溝部の内側部に開口するとともに溝部の軸線と同じ向きに向くように配置されていることによって、溝部に沿って装着される記録媒体の装着方向と同じ方向からメモリカードをオーディオ装置に装着することが出来るようになり、操作性が向上する。
【００２６】
第７の発明によるオーディオ装置は、前記目的を達成するために、第１の発明の構成に加えて、コンピュータ・ネットワークとの接続を行って楽曲データをダウンロードする通信制御部材をさらに備えていることを特徴としている。
【００２７】
この第７の発明によるオーディオ装置によれば、通信制御部材を介してオーディオ装置をインターネットなどのコンピュータ・ネットワークに接続でき、このコンピュータ・ネットワーク上の音楽配信サイトなどから楽曲データのダウンロードを行うことが出来るので、ユーザが所望する楽曲の再生を容易に行うことが出来るようになる。
【００２８】
第８の発明によるオーディオ装置は、前記目的を達成するために、第１の発明の構成に加えて、前記通信制御部材によってコンピュータ・ネットワークからダウンロードされた楽曲データを保存するハードディスクをさらに備えていることを特徴としている。
【００２９】
この第８の発明によるオーディオ装置によれば、インターネットなどのコンピュータ・ネットワークとの接続によって、このコンピュータ・ネットワーク上の音楽配信サイトからダウンロードされた楽曲データが、本体ケーシング内に内蔵されたハードディスクに蓄積され、これによって、ユーザは、ハードディスクから何時でも所望の楽曲データを読み出して、音楽などの楽曲を楽しむことが出来るようになる。
【００３０】
第９の発明によるオーディオ装置は、前記目的を達成するために、第１の発明の構成に加えて、オーディオ装置の本体部の操作をリモートコントロールによって行うリモートコントローラをさらに備え、このリモートコントローラが、本体ケーシングの溝部内に嵌合されて収容される形状を備えていることを特徴としている。
【００３１】
この第９の発明によるオーディオ装置によれば、オーディオ装置の本体部の操作をリモートコントロールするリモートコントローラが、その不使用時やオーディオ装置の携帯時などに、本体ケーシングの記録媒体を装着する搬送経路を構成する溝部内に嵌合されることにより、本体ケーシングと一体化される。
これによって、オーディオ装置の持ち運びや不使用時の収納などが容易になる。
【００３２】
【発明の実施の形態】
以下、この発明の最も好適と思われる実施の形態について、図面を参照しながら詳細に説明を行う。
【００３３】
図１は、この発明によるオーディオ装置の実施形態における一例を示す斜視図であり、図２は平面図，図３は正面図，図４は側面図である。
【００３４】
この図１ないし４において、オーディオ装置１０は、その本体ケーシング１１が、平面形状が略Ｕ字状で各部位の横断面形状が略方形になるように成形されており、さらに、半円形の後部（図２において右側部分）１１Ａが、ＤＶＤまたはＣＤなどのディスク記録媒体（以下においては、ＤＶＤ−ＲＷを例に挙げて説明を行う）の径よりも大きい径を備えている。
【００３５】
この本体ケーシング１１には、両側の腕部１１Ｂと１１Ｃの間に、本体ケーシング１１の前面および上面，下面に開口し、前面から半円形の後部１１Ａの中心位置まで直線状に延びる溝部１１Ｄが形成されている。
【００３６】
そして、本体ケーシング１１には、その上下幅のほぼ中間位置において、この本体ケーシング１１の前面と溝部１１Ｄの内壁面に開口するガイドスリット１１Ｅが形成されている。
【００３７】
溝部１１Ｄ内には、その最奥部分に、後述するようにガイドスリット１１Ｅ内に挿入されて本体ケーシング１１に装着されるＤＶＤ−ＲＷの中心部をクランプするとともにこのクランプしたＤＶＤ−ＲＷを回転させるディスク駆動部１１Ｆが取り付けられており、このディスク駆動部１１Ｆには、ガイドスリット１１Ｅと同じ高さ位置に、ガイドスリット１１Ｅ内に挿入されて本体ケーシング１１に装着されるＤＶＤ−ＲＷが挿通されるスリット部１１Ｆａが形成されている。
【００３８】
さらに、図３に示されるように、本体ケーシング１１の溝部１１Ｄの最奥部分の内壁面に、メモリカード挿入口１１Ｇが、ディスク駆動部１１Ｆの上方でかつ溝部１１Ｄを通して本体ケーシング１１の前面側に向く位置に形成されている。
【００３９】
本体ケーシング１１には、さらに、腕部１１Ｂと１１Ｃの外側面に、音声出力用の多孔部１１Ｈが形成され、また、正面から見て右側の腕部１１Ｂの前壁面に、ディスプレイパネル１１Ｊが取り付けられ、左側の腕部１１Ｃの前壁面に、再生キーｋ１，停止キーｋ２，早送りキーｋ３，巻き戻しキーｋ４，ダウンロードキーｋ５の各操作用タッチボタンが配置されたタッチパネル操作部１１Ｋが取り付けられている。
【００４０】
図５は、このオーディオ装置１０の本体ケーシング１１に内蔵された各駆動機構の配置を示す構成配置図であり、図６は図５のＶＩ−ＶＩ線における断面図、図７は図５のＶＩＩ−ＶＩＩ線における断面図、図８は図５のＶＩＩＩ−ＶＩＩＩ線における断面図である。
【００４１】
この図５において、本体ケーシング１１の腕部１１Ｂと１１Ｃ内のそれぞれのガイドスリット１１Ｅに沿う部分に、それぞれ前側位置と後側位置に配置されてガイドスリット１１Ｅ内に挿入されたＤＶＤ−ＲＷの上面に接触して図示しない駆動モータによって回転されることにより、ＤＶＤ−ＲＷをガイドスリット１１Ｅに沿って本体ケーシング１１の前後方向（溝部１１Ｄと平行な方向）にガイドする一対ずつのディスクローラ２０が取り付けられている。
【００４２】
そして、腕部１１Ｂと１１Ｃ内において、それぞれのガイドスリット１１Ｅに対向する部分で前側のディスクローラ２０の直ぐ後方位置に、ディスク検出用赤外線センサ２１が取り付けられている。
【００４３】
腕部１１Ｂと１１Ｃ内のそれぞれ多孔部１１Ｈに対向する位置に、一対のスピーカユニット２２が、多孔部１１Ｈを介して本体ケーシング１１の外部への音響出力を行う向きに取り付けられており（図６参照）、一方の腕部１１Ｂ内には、ハードディスクユニット２３が内蔵されている。
【００４４】
本体ケーシング１１の半円形の後部１１Ａ内には、ディスク駆動部１１Ｆに跨る位置に、ガイドスリット１１Ｅ内に挿入されたＤＶＤ−ＲＷをクランプして回転駆動するとともにこのＤＶＤ−ＲＷに記録された楽曲データの読み取りを行うディスク読み取りユニット２４が取り付けられている。
【００４５】
そして、このディスク読み取りユニット２４は、そのディスク駆動部１１Ｆ内に位置する部分に、このディスク駆動部１１Ｆに対して同軸状に位置されたＤＶＤ−ＲＷの中心部をクランプするクランプ部およびこのクランプ部によってクランプされたＤＶＤ−ＲＷを軸回りに回転させるターン部が設けられ、本体ケーシング１１の後部１１Ａ内に位置する部分に、ＤＶＤ−ＲＷからの楽曲データのピックアップ部が設けられている。
【００４６】
本体ケーシング１１の後部１１Ａ内のメモリカード挿入口１１Ｇに対向する部分に、このメモリカード挿入口１１Ｇから挿入されるメモリカードを収容してこのメモリカードに記録されている楽曲データの読み取りを行うメモリカード読み取りユニット２５が取り付けられている。
【００４７】
そして、腕部１１Ｃ内に、上記したディスクローラ２０，ディスク検出用赤外線センサ２１，スピーカユニット２２，ハードディスクユニット２３，ディスク読み取りユニット２４，メモリカード読み取りユニット２５の作動制御を統括するＣＰＵと、ディスク読み取りユニット２４およびメモリカード読み取りユニット２５によって読み取られた楽曲データから音響再生を行う音響再生回路と、チューナと、増幅回路と、インターネットなどのコンピュータネットワークとの接続や後述するようなリモートコントローラとの間の通信制御を行う通信制御回路とを含む制御回路ユニット２６が内蔵されている。
【００４８】
このオーディオ装置１０には、図９に示されるような、本体ケーシング１１に内蔵された通信制御ユニットとの間でのリモート通信により、オーディオ装置１０の操作を行うリモートコントローラ３０が用意されている。
【００４９】
このリモートコントローラ３０は、その外形の幅が本体ケーシング１１の溝部１１Ｄの幅とほぼ同じ大きさに形成され、さらに、その下端部が溝部１１Ｄの後端部の半円形部分の内径とほぼ同じ大きさに形成されていて、図１０に示されるように、不使用時には、本体ケーシング１１の溝部１１Ｄ内に嵌合されて収容されるようになっている。
【００５０】
このオーディオ装置１０の作動は、制御回路ユニット２６による作動制御によって、以下のようにして行われる。
【００５１】
すなわち、ＤＶＤ−ＲＷからの楽曲再生を行う場合には、オーディオ装置１０の電源をオンにした状態で、図１に示されるように、ＤＶＤ−ＲＷが本体ケーシング１１の前方側からガイドスリット１１Ｅ内に挿入されると、このガイドスリット１１Ｅに挿入されたＤＶＤ−ＲＷの挿入方向の先端側がディスク検出用赤外線センサ２１によって検出されて、ディスクローラ２０の回転駆動が開始される。
【００５２】
これによって、ＤＶＤ−ＲＷがガイドスリット１１Ｅによってガイドされながら溝部１１Ｄ内に引き込まれて、その中心がディスク駆動部１１Ｆの中心と一致する位置まで搬送される。
【００５３】
この後、ＤＶＤ−ＲＷディスク読み取りユニット２４のクランプ部によってＤＶＤ−ＲＷの中心部分がターン部にクランプされる。
【００５４】
このとき、溝部１１Ｄ内にＤＶＤ−ＲＷの一部が露出されているので、ユーザは、ガイドスリット１１Ｅに沿ってＤＶＤ−ＲＷが引き込まれる過程やディスク駆動部１１Ｆにクランプされているときの状態を、目で確認することが出来る。
【００５５】
そして、タッチパネル操作部１１Ｋまたはリモートコントローラ３０におけるキー操作によって、楽曲再生動作が開始されると、ターン部の駆動によってＤＶＤ−ＲＷが回転され、この回転にともなって、ＤＶＤ−ＲＷに記録されている楽曲データがディスク読み取りユニット２４のピックアップ部によって読み取られてゆく。
【００５６】
このディスク読み取りユニット２４のピックアップ部によって読み取られた楽曲データは、制御回路ユニット２６の音響再生回路によって音響信号に再生され、増幅回路によって増幅された後に、腕部１１Ｂと１１Ｃに取り付けられている一対のスピーカユニット２２，２２に出力されて、このスピーカユニット２２，２２から音響出力される。
【００５７】
また、メモリカードＭＣに記録されている楽曲データに基づいて音響再生を行う場合には、図１に示されるように、所望の楽曲のデータが記録されたメモリカードＭＣを、本体ケーシング１１の後部１１Ａの溝部１１Ｄ内に開口されたメモリカード挿入口１１Ｇに挿入して装着する。
【００５８】
そして、タッチパネル操作部１１Ｋまたはリモートコントローラ３０におけるキー操作によって、楽曲再生動作が開始されると、メモリカードＭＣからこれに記録されている楽曲データがメモリカード読み取りユニット２５によって読み取られてゆき、ＤＶＤ−ＲＷから読み取られた楽曲データの場合と同様に、制御回路ユニット２６の音響再生回路によって音響信号に再生され、増幅回路によって増幅された後に、腕部１１Ｂと１１Ｃに取り付けられている一対のスピーカユニット２２，２２に出力されて、このスピーカユニット２２，２２から音響出力される。
【００５９】
また、インターネットなどのコンピュータネットワーク上で配信されている楽曲データに基づいて音響再生を行う場合には、先ず、タッチパネル操作部１１Ｋに設けられているダウンロードキーｋ５やリモートコントローラ３０のキー操作によって、オーディオ装置１０を移動体通信網または公衆電話回線網およびインターネットなどのコンピュータネットワークを介して所望の楽曲データの配信を行っている音楽情報提供サイトに接続を行い、この接続された音楽情報提供サイトから所望の楽曲データをダウンロードする。
【００６０】
このダウンロードされた楽曲データは、オーディオ装置１０のハードディスクユニット２３に保存されるか、または、メモリカード挿入口１１Ｇに装着されたメモリカードＭＣに保存される。
【００６１】
また、ダウンロードされた楽曲データを一旦ハードディスクユニット２３に保存した後、メモリカード挿入口１１Ｇに装着されたメモリカードＭＣにコピーすることも出来る。
【００６２】
ハードディスクユニット２３に保存された楽曲データは、タッチパネル操作部１１Ｋまたはリモートコントローラ３０におけるキー操作によって、制御回路ユニット２６のＣＰＵからの指令に基づいて読み出されて、ＤＶＤ−ＲＷやメモリカードＭＣに記録された楽曲データの場合と同様に、制御回路ユニット２６の音響再生回路によって音響信号に再生され、増幅回路によって増幅された後に、腕部１１Ｂと１１Ｃに取り付けられている一対のスピーカユニット２２，２２に出力されて、このスピーカユニット２２，２２から音響出力される。
【００６３】
以上のように、上記オーディオ装置１０は、ＤＶＤ−ＲＷの装着がスロットイン方式によって行われるようになっているので、ＤＶＤ−ＲＷの装着用トレイなどの構成を必要とせず、コンパクトな構成になっているとともに、ＤＶＤ−ＲＷの装着経路や装着時の状態を、ユーザが本体ケーシング１１の外部から直接目で見ることが出来るので、ＤＶＤ−ＲＷが装着経路や装着位置において引っ掛かったりする等のトラブルが発生した場合でも、容易に対処することができ、そのトラブル解消のためにＤＶＤ−ＲＷを破損してしまうといった事態が発生するのを回避することが出来る。
【００６４】
さらに、このオーディオ装置１０は、装着されたＤＶＤ−ＲＷが回転している状態が本体ケーシング１１の外部から見えるので、ユーザを楽しませることが出来る。
【００６５】
また、上記オーディオ装置１０によれば、ＤＶＤ−ＲＷの他にメモリカードＭＣに記録された楽曲データに基づく音響再生やコンピュータ・ネットワーク上で配信される楽曲データに基づく音響再生を行うことが出来き、コンパクトな構成で様々なメディアによる音響再生が可能である。
【００６６】
なお、上記においては、ディスク記録媒体としてＤＶＤ−ＲＷを例に挙げて説明を行ったが、この発明によるオーディオ装置は、ＣＤやＭＤなどのスロットイン方式によって装着可能な各種ディスク記録媒体を用いて音響再生を行う場合に適用することが出来、また、装着可能なメモリカードとしては、メモリスティックやスマートメディア，コンパクトフラッシュ（登録商標），マルチメディアカードなどの各種メモリカードが挙げられる。
【図面の簡単な説明】
【図１】この発明の実施形態の一例を示す斜視図である。
【図２】同例の平面図である。
【図３】同例の正面図である。
【図４】同例の側面図である。
【図５】同例のオーディオ装置の内部構造を示す概略構成図である。
【図６】図５のＶＩ−ＶＩ線における断面図である。
【図７】図５のＶＩＩ−ＶＩＩ線における断面図である。
【図８】図５のＶＩＩＩ−ＶＩＩＩ線における断面図である。
【図９】同例におけるリモートコントローラを示す平面図である。
【図１０】同例において本体ケーシングにリモートコントローラが格納されている状態を示す平面図である。
【符号の説明】
１０            …オーディオ装置
１１            …本体ケーシング
１１Ａ          …後部
１１Ｂ，１１Ｃ  …腕部
１１Ｄ          …溝部
１１Ｅ          …ガイドスリット
１１Ｆ          …ディスク駆動部材
１１Ｇ          …メモリカード挿入口
１１Ｈ          …多孔部
１１Ｊ          …ディスプレイパネル
１１Ｋ          …タッチパネル操作部
２０            …ディスクローラ（記録媒体搬送部材）
２１            …ディスク検出用赤外線センサ（記録媒体検知部材）
２２            …スピーカユニット
２３            …ハードディスクユニット（ハードディスク）
２４            …ディスク読み取りユニット
２５            …メモリカード読み取りユニット（メモリカード読み取り部材）
２６            …制御回路ユニット
３０            …リモートコントローラ
【図１】
0003815993.tif 000002
【図２】
0003815993.tif 000003
【図３】
0003815993.tif 000004
【図４】
0003815993.tif 000005
【図５】
0003815993.tif 000006
【図６】
0003815993.tif 000007
【図７】
0003815993.tif 000008
【図８】
0003815993.tif 000009
【図９】
0003815993.tif 000010
【図１０】
0003815993.tif 000011